(57)【要約】【課題】  未使用時は内設し、使用時は設置が簡単でほとんどの袋が補助具なしで容易に着脱ができる袋の保持スタンドを提供する。【解決手段】  平形材で、2組の四角形が内設してＸ字状で回動と係止する枠の上部に袋を着脱する袋の保持スタンドであって、それぞれの両側上方に外向きの袋掛け切欠５と両側中央部分に2組の枠を内設とＸ字状に立設させる係止ピン７とピン入切欠８を設けて回動可能に軸着し、Ｘ字状の立設状態で、片面下部と上面を分断して三角を有する外固定枠１と内固定枠３、一角を有する外可動枠２と内可動枠４とし、それぞれの下部は蝶着し、上部は外固定枠１と内固定枠３に、掛け部１１を有する外可動枠２と内可動枠４が掛止する枠受け面Ａと傘付軸１０を設けてなる。【選択図】図１
2006160265.tif 000002
【特許請求の範囲】
【請求項１】
平形材で、2組の四角形が内設してＸ字状で回動と係止する枠の上部に袋を着脱する袋の保持スタンドであって、それぞれの両側上方に外向きの袋掛け切欠と両側中央部分に2組の枠を内設とＸ字状に立設させる係止ピンとピン入切欠を設けて回動可能に軸着し、Ｘ字状の立設状態で、片面下部と上面を分断して三角を有する外固定枠と内固定枠、一角を有する外可動枠と内可動枠とし、それぞれの下部は蝶着し、上部は外固定枠と内固定枠に、掛け部を有する外可動枠と内可動枠が掛止する枠受け面と傘付軸を設けてなることを特徴とする袋の保持スタンド。
【請求項２】
外固定枠と外可動枠及び内固定枠と内可動枠を分断せず一体とした外枠と内枠でなる請求項１に記載の袋の保持スタンド。
【請求項３】
内枠の下側に外枠に内設する任意の数のキャスターを取り付けてなる請求項２に記載の袋の保持スタンド。
【発明の詳細な説明】
【技術分野】
【０００１】
本発明は、袋の開口部を保持するスタンドに関し、家庭、事務所、工場、イベント会場、工事現場等で袋を効率よく使用するための袋の保持スタンドに関する。
【背景技術】
【０００２】
従来の袋の開口部を上部の枠に保持するスタンドには、長方形ループ状の2組のフレームをＸ字状に回動可能に枢着し上部フレームに袋の開口部を折り返して永久磁石で抑止保持するものがある（例えば、特許文献1参照。）。又、1本の支柱の上の枠に取り付けた4本の棒で専用の土のう袋を開口保持するものがある（例えば、特許文献２参照。）。他には、1本~複数の支柱の上部の枠に袋の開口部を折り返してクリップで止める方法とか、袋の開口部を枠で張設して止める方法がある。
【０００３】
市販品では、主に廃材、土用として、1本の柱の上の枠に専用の袋を簡単に取り付け、取り外しが出来るものがある。（ゴミ袋スタンドポイ太郎―双葉商事製）又、コの字形の支柱2本を連結して4本の柱の上の枠に袋の開口部をクリップで取り付け、取り外しできるものがある。（組み立て式袋スタンド−土牛産業製）更に、上に突起等の掛け部がある四角形の枠を２個Ｘ字状で開閉できるようにしてスーパーやコンビニ等の袋の手提げ部分を掛けて使用するものもある。
【特許文献１】実登3059011号
【特許文献２】特開2000−043831号公報
【発明の開示】
【発明が解決しようとする課題】
【０００４】
解決しようとする問題点は、通常、袋の開口部をスタンドに保持するのには、袋を限定する専用スタンド又は開口部を張設するものを除いては、磁石、クリップ等の補助具が必要であり、物が入った袋を取り出す時には1本柱のスタンド以外は袋が複数の柱を圧迫して取り出しにくい点である。
【課題を解決するための手段】
【０００５】
平形材で、2組の四角形が内設してＸ字状で回動と係止する枠の上部に袋を着脱する袋の保持スタンドであって、それぞれの両側上方に外向きの袋掛け切欠と中央部分に2組の枠を内設とＸ状に立設させる係止ピンとピン入切欠を設けて回動可能に軸着し、Ｘ字状の立設状態で、片面下部と上面を分断して三角を有する外固定枠と内固定枠、一角を有する外可動枠と内可動枠とし、それぞれの下部は蝶着し、上部は外固定枠と内固定枠に、掛け部を有する外可動枠と内可動枠が掛止する枠受け面と傘付軸を設けてなる。
【０００６】
上記において、外固定枠１と外可動枠２及び内固定枠と内可動枠を分断せず一体とし外枠と内枠でなる。
【０００７】
一体とした内枠の下側に外枠に内設する任意の数のキャスターを取り付けてなる。
【発明の効果】
【０００８】
本発明の袋の保持スタンドは、未使用時には四角形の外固定枠と外可動枠及び内固定枠と内可動枠（以下、両枠と表記）が回動により閉じれば内設するので保管、移送が容易であり、使用時は両枠を開き袋の開口部を袋掛け切欠で確実に保持する為にポリ袋から土のう袋まで容器不要のスタンド物入れを瞬時に設置することができる。又、袋の取り出しは、袋の開口部を両枠の袋掛け切欠から外した後、上面両枠の掛止を解除すれば外可動枠と内可動枠が前に倒れて袋を容易に取り出すことが出来る。従って、従来、廃材入れとか土のうつくり等2人でしていた作業を１人で行うことが出来る。
【０００９】
袋に入る物が比較的軽くて取り出しも容易な場合には、両枠を分断しないで一体の外枠と内枠とすればより単純になる。又、内枠の下側に外枠に内設するキャスターを取り付ければ内枠を持ち上げるだけで容易に移動させることができるので広範囲な場所でのゴミ収集が楽に行える。
【００１０】
本発明の本体は同一の材料で製作でき、構造も単純な為に低コストで提供することができる。又、両枠を一体にすれば、角、丸、パイプ等の形状の素材が使用可能となる。
【発明を実施するための最良の形態】
【００１１】
単一材料で構成する2組の四角形の枠が回動により内設と、係止してＸ字状に立設するように軸着し、立設させた両枠の袋掛け切欠に袋の開口部を内側から掛ければ開口部の張力で袋が容器も兼用する物入れスタンドとなり、袋の取り出しは、開口部を両枠の袋掛け切欠から外した後、両枠上面の掛止を解除して外可動枠と内可動枠を前方に倒して行う形態とする。但し、袋の取出しが容易に行える場合には両枠を一体にした外枠と内枠とする。又、移動しながらの使用には内枠の下面に外枠に内設するキャスターを取り付けた形態とする。
【実施例】
【００１２】
以下、本発明の実施例を図面に基づいて説明する。図１は、本発明に係わる袋の保持スタンドを開いて袋を取り付けた正面図、図2立設した平面図、図3は閉じた正面図である。平形材で四角形を分断した外固定枠１に内設する内固定枠３それぞれの側面上部に袋掛け切欠５と、上面端部に平形材の厚み分を折り下げた枠受面Ａと傘付軸１０を設け、更に、外固定枠１の中央部に係止ピン７と内固定枠３の中央部にピン入切欠８を設けて軸６で軸着し、外固定枠１の係止ピン７を内固定枠３に当接させ立設させる。立設した外固定枠1と内固定枠３のそれぞれの端部に、外可動枠２に内設する内可動枠４それぞれの側面上部に袋掛け切欠５と、上面端部に掛止部１１を設け、更に、外可動枠２の中央部に係止ピン７と内可動枠４の中央部にピン入切欠８を設けて軸６で軸着し、下面は当接して蝶番９で蝶着、上面は傘付軸１０に掛止部１１を掛止させて袋の保持スタンドとする。従って、回動により未使用時には閉じれば掛止ピン７がピン入切欠８に入り外固定枠1、外可動枠２と内固定枠３、内可動枠４が内設し、開けば係止ピン７が内固定枠２と内可動枠４に当接し立設した袋の保持スタンドとなるがこの場合の開いた寸法は、袋Ｂを取り付けた寸法より広く設定しておかなくてはならない。                  
【００１３】
袋Ｂの取り付けは、係止ピン７で立設させた袋の保持スタンドの4箇所の袋掛け切欠５に袋Ｂの開口部を枠の内側から被せて掛ければ、立設機能が係止ピン７から袋Ｂの開口部の張力に変わる。
【００１４】
物が入った袋Ｂの袋の保持スタンドからの取り出しは、開口部を4箇所の袋掛け切欠５から外しておき、上面の掛止部１１を傘付軸１０から外せば外可動枠２と内可動枠４が蝶番９により前方に倒れるので袋を容易に取り出すことが出来る。
【００１５】
図４は、袋の保持スタンドに取り付けた袋Ｂに入れた物が比較的軽く取り出しも無理なく行える場合に、枠受面Ａ，傘付軸１０、掛止部１１を無くして外固定枠１と外可動枠２を一体とした外枠２１及び内固定枠３と内可動枠４を一体とした内枠２２に袋Ｂを取り付けた正面図、図5は外枠２１と内枠２２を閉じた正面図である。外枠２１と内枠２２を一体とすることにより部品点数と加工部分が少なくなると共に使用素材の形状が丸、角、パイプ等も可能となる。
【００１６】
図6は、内枠２２の下面に2個のキャスター２３を設けて袋Ｂを取り付けた正面図、図7は外枠２１と内枠２２を閉じた正面図である。内枠２２の下面に外枠２１に内設するキャスター２３を設けることにより袋Ｂを地面に接しないように取り付け後、内枠２２の上面を持ち上げれば外枠２１も上がりキャスター２３により容易に移動させながら使用することが出来る。
【図面の簡単な説明】
【００１７】
【図１】袋の保持スタンドに袋を取り付けた正面図である。
【図２】袋の保持スタンドを立設した平面図である。
【図３】袋の保持スタンドを閉じた正面図である。
【図４】袋の保持スタンドの枠を一体にして袋を取り付けた正面図である。
【図５】袋の保持スタンドの枠を一体にして閉じた正面図である。
【図６】袋の保持スタンドにキャスターを設けて袋を取り付けた正面図である。
【図７】袋の保持スタンドにキャスターを設けて閉じた正面図である。
【符号の説明】
【００１８】
１  外固定枠
２  外可動枠
３  内固定枠
４  内可動枠
５  袋掛け切欠
６  軸
７  係止ピン
８  ピン入切欠
９  蝶番
１０  傘付軸
１１  掛止部
Ａ  枠受面
Ｂ  袋
２１  外枠
２２  内枠
２３  キャスター
【図１】
2006160265.tif 000003
【図２】
2006160265.tif 000004
【図３】
2006160265.tif 000005
【図４】
2006160265.tif 000006
【図５】
2006160265.tif 000007
【図６】
2006160265.tif 000008
【図７】
2006160265.tif 000009